(57)【要約】【課題】鎮静効果を有し、かつ洗濯耐久性に優れる繊維構造体及びその製法を提供すること。【解決手段】鎮静効果成分を担持した多孔質微粒子を含有することを特徴とする繊維構造物、又は鎮静効果成分の含有量は、繊維材料１００重量部に対して０．０００１〜１０．０重量部であり、且つ担持した多孔質微粒子全量に対して１〜８０質量％であることを特徴とする、鎮静効果成分は、ラベンダー、カモミール、マジョラム、イランイラン、ジャスミン、ローズウッド、サンダルウッド、レモンバーム、ネロリ、タイム、ローズ、オレンジ、ベルガモット、ゼラニウム、シダーウッド、クラリセージ、又はセドロールから選ばれる少なくとも一種であることを特徴とする、或いは、多孔質微粒子は、微粒子内の空孔が互いに通連している開放気孔型の無機又は有機系微粒子であることを特徴とする繊維構造物及びその製法などを提供した。【選択図】なし【特許請求の範囲】
【請求項１】
鎮静効果成分を担持した多孔質微粒子を含有することを特徴とする繊維構造物。
【請求項２】
鎮静効果成分の含有量は、繊維材料１００重量部に対して０．０００１〜１０．０重量部であり、且つ担持した多孔質微粒子全量に対して１〜８０質量％であることを特徴とする請求項１に記載の繊維構造物。
【請求項３】
鎮静効果成分は、ラベンダー、カモミール、マジョラム、イランイラン、ジャスミン、ローズウッド、サンダルウッド、レモンバーム、ネロリ、タイム、ローズ、オレンジ、ベルガモット、ゼラニウム、シダーウッド、クラリセージ、又はセドロールから選ばれる少なくとも一種であることを特徴とする請求項１に記載の繊維構造物。
【請求項４】
多孔質微粒子は、微粒子内の空孔が互いに連通している開放気孔型の無機又は有機系微粒子であることを特徴とする請求項１に記載の繊維構造物。
【請求項５】
多孔質微粒子は、繊維材料に付着又は吸尽されて固着されていることを特徴とする請求項１に記載の繊維構造物。
【請求項６】
さらに、多孔質微粒子はバインダーにより付着されていることを特徴とする請求項５に記載の繊維構造物。
【請求項７】
繊維材料は、綿、糸、織編物又は不織布であることを特徴とする請求項１〜６のいずれかに記載の繊維構造物。
【請求項８】
繊維材料に、鎮静効果成分を担持した多孔質微粒子をパッド／ドライ法により固着させることを特徴とする請求項１〜７のいずれかに記載の繊維構造物の製法。
【発明の詳細な説明】
【技術分野】
【０００１】
本発明は、鎮静効果を有する繊維構造体及びその製法に関し、さらに詳しくは、鎮静効果を有する成分を担持した多孔質微粒子を繊維に付与することにより、鎮静効果を有し、かつ洗濯耐久性に優れる繊維構造体及びその製法に関する。
【背景技術】
【０００２】
従来から鎮静効果や睡眠改善効果をもつ成分としては、ラベンダー、ジャスミン、カモミール、サンダルウッドなどの香料が知られ、例えば、オリス系香料、サンダルウッド系香料及びローズ系香料を含む特定の誘眠香料組成物が提案されている（例えば、特許文献１参照。）。
また、人の心と体を癒すアロマテラピー効果をもつ芳香成分を付与した繊維製品や布帛も知られ、例えば、アロマテラピー効果を有する天然植物精油を、これと親和性を有する保留剤を介して繊維製品に担持させた、やすらぎのある快適繊維製品（例えば、特許文献２参照。）や、芳香剤を含有させてなるセラミック微多孔体をセルロース微粉体に担持させ、前記セラミック微多孔体を、前記セルロース微粉体を媒体として布帛に固着した、熱可塑性重合体繊維からなる芳香性布帛（例えば、特許文献３参照。）が提案されている。
さらに、皮膚の生理的状態を改善する作用を有する物質（例えばビタミンＣなど）や芳香剤を内蔵する、ホルマリン系樹脂などからなるマイクロカプセルが繊維処理用に用いられ、このようなマイクロカプセルを用いた繊維処理液で処理した繊維構造物（例えば、特許文献４参照。）、また、森林の香りであるフィトンチッド封入マイクロカプセルが樹脂バインダーにより固着されてなる森林浴効果を有する繊維構造物（例えば、特許文献５参照。）が知られている。
【０００３】
しかし、例えば、特許文献４、５に開示されているマイクロカプセルでは、その中に封入、内蔵された香気（芳香）成分などの効果を発揮するために、摩擦などによりマイクロカプセルが壊されることが必須の条件であり、物理的な作用がなければ効果が出ないことや、過度の摩擦ですぐにカプセルとその内蔵成分が脱落してしまうという問題点がある。
さらに、一般的に芳香成分を付与した繊維製品や布帛、繊維構造物は、比較的少ない洗濯回数で芳香成分が繊維構造物などから脱離し、その結果、比較的短時間のうちに効果が減少してしまうという問題点がある。
【０００４】
一方、芳香成分ではなく、略無臭又は微香の物質であるセドロールが、鎮静効果や睡眠改善効果を奏することが知られ（例えば、非特許文献１参照。）、例えば、花王株式会社から入浴剤や化粧水、パック、スチーマーとして、「ＳＯＯ」の商品名で市販されている。
【０００５】
しかし、セドロールを含有させて鎮静効果をもたせた繊維製品や繊維構造物は知られておらず、更に洗濯しても効果を持続する繊維構造物はこれまで知られていない。
したがって、鎮静効果を発揮し、かつ高い洗濯耐久性のある繊維製品や繊維構造物が求められている。
【特許文献１】特開平７−３１６５８２号公報（特許請求の範囲等）
【特許文献２】特開２００２−２８５４７１号公報（特許請求の範囲等）
【特許文献３】特開平５−１６３６７６号公報（特許請求の範囲等）
【特許文献４】特許第２５６２２３３号公報（特許請求の範囲等）
【特許文献５】特許第２５８２７３８号公報（特許請求の範囲等）
【非特許文献１】第１８回睡眠環境シンポジウム予稿集、「香気成分セドロールの鎮静作用による改善効果」  平成１４年１０月、ｐ．７９〜８０
【発明の開示】
【発明が解決しようとする課題】
【０００６】
本発明の目的は、上記従来技術の問題点に鑑み、鎮静効果を有し、かつ洗濯耐久性に優れる繊維構造体及びその製法を提供することにある。
【課題を解決するための手段】
【０００７】
本発明者らは、前記従来技術の問題点を克服するために鋭意研究した結果、鎮静効果を有する成分を、空孔が互いに連通した開放気孔型のシリカなどの多孔質微粒子に担持させて、繊維生地に付着させることによって、繊維構造物に鎮静効果を付与し、これを寝装品やパジャマ、カーテン等に利用したところ、これらの繊維製品（又は繊維構造物）は、鎮静効果があり、かつ高い洗濯耐久性を有することを見出した。本発明は、これらの知見に基づいて完成するに至ったものである。
【０００８】
すなわち、本発明の第１の発明によれば、鎮静効果成分を担持した多孔質微粒子を含有することを特徴とする繊維構造物が提供される。
また、本発明の第２の発明によれば、第１の発明において、鎮静効果成分の含有量は、繊維材料１００重量部に対して０．０００１〜１０．０重量部であり、且つ担持した多孔質微粒子全量に対して１〜８０質量％であることを特徴とする繊維構造物が提供される。
さらに、本発明の第３の発明によれば、第１の発明において、鎮静効果成分は、ラベンダー、カモミール、マジョラム、イランイラン、ジャスミン、ローズウッド、サンダルウッド、レモンバーム、ネロリ、タイム、ローズ、オレンジ、ベルガモット、ゼラニウム、シダーウッド、クラリセージ、又はセドロールから選ばれる少なくとも一種であることを特徴とする繊維構造物が提供される。
【０００９】
本発明の第４の発明によれば、第１の発明において、多孔質微粒子は、微粒子内の空孔が互いに連通している開放気孔型の無機又は有機系微粒子であることを特徴とする繊維構造物が提供される。
さらに、本発明の第５の発明によれば、第１の発明において、担持した多孔質微粒子は、繊維材料に付着又は吸尽されて固着されていることを特徴とする繊維構造物が提供される。
【００１０】
本発明の第６の発明によれば、第５の発明において、多孔質微粒子がバインダーにより付着されていることを特徴とする繊維構造物が提供される。
さらに、本発明の第７の発明によれば、第１〜６のいずれかの発明において、繊維材料は、綿、糸、織編物又は不織布であることを特徴とする繊維構造物が提供される。
【００１１】
一方、本発明の第８の発明によれば、繊維材料に、鎮静効果成分を担持した多孔質微粒子をパッド／ドライ法により固着させることを特徴とする第１〜７のいずれかの発明の繊維構造物の製法が提供される。
【００１２】
本発明は、上記した如く、鎮静効果成分を担持した多孔質微粒子を含有することを特徴とする繊維構造物などに係わるものであるが、その好ましい態様としては、次のものが包含される。
（１）第３の発明において、鎮静効果成分は、セドロールであることを特徴とする繊維構造物。
（２）上記（１）の発明において、セドロールは、高純度（例えば、９９％以上）に精製したものであることを特徴とする繊維構造物。
（３）第７の発明において、繊維材料の素材が、セルロース系繊維、天然繊維、半合成繊維、合成繊維、又はこれらの繊維を二種以上組合せた混紡繊維であることを特徴とする繊維構造物。
（４）第１〜８のいずれかの発明の繊維構造物を用いてなる毛布、シーツ、寝装製品（ふとんカバー、枕カバー、枕、ふとん綿等）、パジャマ又はカーテン。
【発明の効果】
【００１３】
本発明の繊維構造物は、セドロールなどの鎮静効果成分を担持した多孔質微粒子を含有することにより、人体に対して鎮静作用やリラックス作用があり、繊維に鎮静効果と共に、優れた洗濯耐久性を付与するという顕著な効果を奏する。
したがって、本発明の繊維構造物は、鎮静効果があり、かつ洗濯耐久性に優れるために、種々の用途の繊維製品に用いることができ、例えば、布団カバー、枕カバー、枕や布団綿などの寝装製品、毛布、シーツ、パジャマ、カーテンなどに用いることができる。
【発明を実施するための最良の形態】
【００１４】
以下、本発明について、項目毎に詳細に説明する。
本発明の繊維構造物は、鎮静効果を有する成分、すなわち鎮静効果成分を担持した多孔質微粒子を含有することに最大の特徴がある。これにより鎮静効果を持たせることができると共に洗濯耐久性も付与することができる。
【００１５】
１．鎮静効果成分
本発明において、鎮静効果を有する成分、すなわち鎮静効果成分は、鎮静効果があれば特に限定されないが、例えば、ラベンダー、カモミール、マジョラム、イランイラン、ジャスミン、ローズウッド、サンダルウッド、レモンバーム、ネロリ、タイム、ローズ、オレンジ、ベルガモット、ゼラニウム、シダーウッド、クラリセージ等、鎮静効果をもつ芳香分子を含むものや、セドロール等鎮静効果が認められる単品の香気成分を高純度に精製したものが挙げられる。中でも、セドロールは、その鎮静効果はもとより高純度のものは臭いが無臭ないしは非常にわずかであり、香りなれによる鎮静効果の低下がないために、好ましい。
【００１６】
上記のセドロールは、セダーウッド油（又はシダーウッド油）に含有される樹木成分であり、主にセダーウッド油を分留して、再結晶して得ることができる。また、セドロールの物性は、分子量（分子式：Ｃ１５Ｈ２６Ｏ）が２２２、融点が８６℃、沸点が２９５℃（１５０℃＠８ｍｍＨｇ）であり、白色結晶で、有機溶媒には、易溶であるが、水には、ほぼ不溶であり、無臭、或いは極めて弱い針葉樹の木香を有し、セスキテルペンアルコールの一種である。
また、本発明において、用いられるセドロールは、特に限定されず、セダーウッド（又はシダーウッド）から抽出されたもの（セダーウッド油やセドロール）の他、杉や桧などその他樹木から抽出されたもの（例えば、ヒノキ油やセドロール）など、どれを用いてもよい。また、これらの抽出物でも問題ないが、好ましくは高純度（例えば、９９％以上）に精製したものが、臭いが少なくてよい。
【００１７】
セドロールやセダーウッド油は、セッケンや洗剤香料などの保留剤として用いられることが知られている。本発明においては、セドロールを、このような保留剤ではなく、人体の副交感神経系に働き、交換神経系より優位な状態にして、夜間の睡眠や基礎代謝の維持、沈静、リラックス時などに優位な状態になり、睡眠改善効果や鎮静効果を発揮させるものとして、用いるところに特徴がある。
本発明において初めて、セドロールなどの鎮静効果成分を布帛や繊維構造物に含有させてシーツ、カバー等の寝装品やパジャマ、或いはカーテンなどに使用したところ、鎮静作用或いはさらに睡眠改善作用を有し、鎮静効果やさらに睡眠改善効果を発揮するものとして有用であることを見出したものである。特に、セドロールは、高純度化し、微香化や無臭化することによって、かぎ慣れによる効果の低下が生じにくくなる。
【００１８】
本発明の繊維構造物において、鎮静効果成分の含有量は、繊維材料１００重量部に対して、０．０００１〜１０．０重量部が好ましい。また、より好ましくは０．０１〜１．０重量部である。含有量が０．０００１重量部未満であると、鎮静効果が認められない。一方、１．０重量部を超えると、効果は認められるものの含有量に見合う効果とは言えなくなり、更に１０．０重量部を超えると経済的な負担が大きすぎて問題がある。
【００１９】
本発明において、多孔質微粒子は、無機系多孔質微粒子又は有機系多孔質微粒子のいずれでもよいが、微粒子内の空孔が互いに連通している開放気孔型であることが重要である。
開放気孔型無機多孔質微粒子としては、特に制限はないが、例えば、シリカ、アルミナ、リン酸カルシウム、ケイ藻土、ゼオライト、軽石粉、燒結金属粉末などの中から一種又は二種以上を用いることができる。
【００２０】
また、開放気孔型有機系多孔質微粒子としては、特に限定はないが、例えば、ポリウレタン、フェノール樹脂、ポリスチレン、ポリエチレン、ポリプロピレン、ポリ塩化ビニルなどの発泡微粒子などの中から一種又は二種以上を用いることができる。
これらの中でも、特にシリカが好ましい。
さらに、本発明において、用いられる多孔質微粒子の粒径、細孔径、気孔率については、特に制限はないが、多孔質微粒子の平均粒径は、コストや風合いなどの点から、好ましくは２０μｍ以下、より好ましくは１０μｍ以下、特に好ましくは１〜５μｍ以下の範囲である。また、細孔径及び気孔率については、鎮静効果成分の担持量が以下の範囲になるような多孔質微粒子であればよく、特に制限はない。
【００２１】
本発明の繊維構造物において、多孔質微粒子に担持される鎮静効果成分の担持量は、１００×（鎮静効果成分量）／（鎮静効果成分量＋多孔質微粒子量）の数値が、すなわち担持した多孔質微粒子全量に対して１〜８０質量％である。好ましくは５〜６５質量％、特に、好ましくは１０〜５５質量％である。担持した多孔質微粒子に対する鎮静効果成分の内包量が１質量％未満では、鎮静効果が発現されない恐れがあり、一方、８０質量％を超えるものは、製造しにくく、実用的でない。
【００２２】
３．繊維構造物
本発明の繊維構造物において、用いられる繊維材料は、特に限定されないが、好ましくは、綿、糸、織編物、不織布などが挙げられる。
また、その繊維素材としても、特に限定されないが、好ましくは、木綿、麻、キュプラ、高強度再生セルロース繊維（例えば、商品名「テンセル」）等のセルロース系繊維、羊毛等の天然繊維、ビスコース、レーヨン、低弾性率レーヨン繊維（例えば、商品名「ポリノジック」）等の半合成繊維、ポリエステル、ポリアミド、ナイロン、ポリオレフィン等の合成繊維、或いはこれらの繊維を二種以上組合せた混紡繊維等が挙げられる。
その繊維素材は、本発明の繊維構造体の用途に応じて、適宜、選択される。
【００２３】
４．繊維構造物の製法
（１）鎮静効果成分の多孔質微粒子への担持方法
本発明において、鎮静効果成分の多孔質微粒子への担持方法としては、特に制限はなく、例えば、次の方法が挙げられる。
【００２４】
先ず、鎮静効果成分を溶解する媒体中に溶解させて、鎮静効果成分の溶解液を調製する。ここで用いる媒体としては、鎮静効果成分を可溶化する溶媒であればよい。例えば、メタノールやエタノールなどの低級脂肪族アルコール類、アセトンやメチルエチルケトンなどの低級脂肪族ケトン類などが挙げられる。この鎮静効果成分の溶解液の調製には、通常、媒体に鎮静効果成分が、溶解液中の該鎮静効果成分の濃度が０．０５〜３０質量％の範囲になるような割合で加えられるが、溶解液中の鎮静効果成分の濃度はできるだけ高い方が好ましく、必要ならば加温した媒体を用いてもよい。
このようにして調製した鎮静効果成分の溶解液中に、多孔質微粒子、好ましくは無機系多孔質微粒子の適当量を浸漬し、該微粒子の細孔内に上記鎮静効果成分の溶解液を含浸させる。この含浸操作は、常圧でも行えるが、含浸を促進させるには、アスピレーターで得られる程度の減圧下で行うのが好ましい。
【００２５】
次いで、そのまま媒体を、加熱又は減圧下の加熱により留去させ、鎮静効果成分を担持した多孔質微粒子を得る。あるいは、湿潤状態の多孔質微粒子を取り出し、乾燥処理して、鎮静効果成分を担持した多孔質微粒子を得る。
この操作は、鎮静効果成分の担持量が所定の値に達するまで、必要に応じ繰り返すことができる。
また、鎮静効果成分の放散性を調整するために更に樹脂等を加えて多孔質微粒子の孔率等を調整してもよい。
このようにして、鎮静効果成分を担持した多孔質微粒子を得ることができる。
【００２６】
（２）多孔質微粒子の繊維への固着方法
本発明において、上記の鎮静効果成分を担持した多孔質微粒子を繊維へ含有させ或いは付与させ、鎮静効果のある繊維構造物を得ることができる鎮静効果成分を担持した多孔質微粒子の繊維への固着方法としては、特に限定されるものではなく、例えば、鎮静効果成分を担持した多孔質微粒子を含む液（通常、水溶液）を繊維製品に含浸させ、乾燥させること、パディング→乾燥→ベーキングなどが挙げられる。その際には、バインダー（又は樹脂加工剤）を併用するのが、洗濯耐久性をより高くさせるために好ましい。
具体的な方法としては、パッド／ドライ法や、液流染色機、ドラム染色機を用いた浸漬法などが挙げられる。作業性やコストの面でテンターを用いたパッド／ドライ法が好ましい。このようにして、鎮静効果成分を担持した多孔質微粒子が繊維に含有され、その形態は、鎮静効果成分を担持した多孔質微粒子が繊維に対して強固に付着又は吸尽する。
また、鎮静効果成分を担持した多孔質微粒子を繊維の紡糸段階で練り込む方法や、鎮静効果成分を担持した多孔質微粒子をスプレー処理して付与する後加工の方法でもよい。
さらに、鎮静効果成分を担持した多孔質微粒子を含む樹脂や糊剤を用いて捺染式、コーティング式にて加工し、固着させることもできる。
【００２７】
パッド／ドライ法とは、繊維に、薬剤又は加工剤を付与するパッド（パッダー）、すなわち布を薬剤に浸漬し均一に絞る工程と、次に乾燥を行う工程とを実施する方法である。一般に、これらの工程を備えた加工機を用いて行うことができる。絞り率は５０〜１５０％、乾燥条件は１００〜１４０℃で３０秒〜３分が好ましい。
【００２８】
また、洗濯耐久性を得るために、鎮静効果成分を担持した多孔質微粒子を繊維へ付与する際に、バインダー（又は樹脂加工剤等）として、例えば、アクリル系樹脂、ポリウレタン系樹脂等を併用することが好ましい。また、風合調整を行うために、柔軟剤を併用してもよい。
その際、バインダーの使用量は、繊維材料１００重量部に対して、０．０１〜３０重量部であり、好ましくは、０．１〜５重量部である。
上記のアクリル系樹脂加工剤としては、具体的に例えば、共栄社化学製の「ライトエポックＴ−２３Ｍ」などがあり、また、ポリウレタン系樹脂加工剤としては、例えば、大原パラヂウム製の「パラゾールＰＮ−１４」、「パラゾールＰＮ−２０」などがある。
尚、洗濯耐久性を得るには、上記のパッド／ドライ法に加えて、さらに、ベーキング、すなわち加工薬剤を熱反応させる工程を行ってもよい。その加工薬剤の反応は、１４０〜１８０℃で３０秒〜５分程度、好ましくは、１５０〜１６０℃で２〜３分程度行われる。
【００２９】
５．繊維構造物の用途
本発明の繊維構造物は、鎮静効果があり、かつ洗濯耐久性に優れるために、種々の用途の繊維製品に用いることができ、例えば、布団カバー、枕カバー、枕や布団綿などの寝装製品、毛布、シーツ、パジャマ、カーテンなどに用いることができる。
【実施例】
【００３０】
以下、本発明について実施例を挙げて、さらに詳細に説明するが、本発明は、これらの実施例に特に限定されるものではない。
【００３１】
［実施例１〜５］、［比較例１］
試料繊維（生地）として、綿１００％の５０番平織物（経糸密度１４８本／インチ、緯糸密度８０本／インチ）を用いた。
【００３２】
多孔質微粒子含有分散剤の作製：
鎮静効果成分としてセドロール（曽田香料製の「セドロール」）を４０％担持させた多孔質微粒子（シリカ）を作製し、これを多孔質微粒子含有分散剤１００重量部中に１０重量部分散させた多孔質微粒子含有分散剤を作製した。
【００３３】
固着方法：
樹脂加工剤（バインダー）として、共栄社化学製の「ライトエポックＴ−２３Ｍ」を用い、また、柔軟剤として、一方社製の「シリコーラン８１０Ｍ」を用いた。
上記薬剤を表１に示す割合で含有する水を溶媒とする加工液を用いて、パッド／ドライ法により試料を加工した。絞り率は７０％、乾燥条件は１２０℃で６０秒とした。
また、実施例２〜５については、乾燥の後、さらにベーキング（１５０℃、２分）を行った。このようにして実施例１〜５、及び比較例１を得た。
【００３４】
【表１】
2005113288.tif 000002
【００３５】
なお、鎮静効果成分の含有量は、以下により求める。
繊維構造物１００重量部に対する鎮静効果成分の含有量＝鎮静効果成分原体の多孔質微粒子中の担持率×分散度×加工液中の多孔質微粒子含有分散剤濃度×絞り率×１００
例えば、実施例１は、０．４（担持量４０％）×０．１（１０％分散）×０．０１（加工液中の多孔質微粒子含有分散剤の濃度１％）×０．７（絞り率７０％）×１００（１００重量部に対して）＝０．０２８となる。
【００３６】
得られた実施例の鎮静効果については、次の方法で官能評価試験を行なった。
官能評価試験：
試料２０×３０ｃｍを４つ折にして鼻部近くに置き、１０分後に表２の判定基準により官能評価を行なった。被験者は２０名で、結果は２０名の平均とした。
【００３７】
【表２】
2005113288.tif 000003
【００３８】
実施例１〜５及び比較例１について、前述の官能評価試験を行なった結果を表３に示した。
【００３９】
【表３】
2005113288.tif 000004
【００４０】
上記の表３からわかるように、実施例１〜５では鎮静効果を示し、比較例１は鎮静効果を示さなかった。
特に実施例２〜５では洗濯０回のみでなく、洗濯１０回後においても明らかな鎮静効果を示した。
これらの結果から、本発明に係る鎮静効果成分を担持した多孔質微粒子の固着加工を施した繊維構造物は、繊維に鎮静効果を付与し、その鎮静効果が繰り返し洗濯しても持続すること、すなわち洗濯耐久性に優れることが明らかになった。